(57)【要約】【課題】金属ばねの両端を固定する従来のスイッチでは、撓みに伴って生じる応力により破損するおそれがあった。一方、両端を固定せずに自由端構造を採用すると、ポジションの切替時において自励振動が発生し、これにより金属ばねから異音が発生するという問題があった。【解決手段】操作ユニットは、ユーザの操作を受けて変位する変位部材と、変位部材と接して変位部材の変位時にクリック感を発生させる第１接触部、および、少なくとも変位部材の変位前後の位置において変位部材と圧接する第２接触部を有する可撓部材とを備える。【選択図】図４
2013080174.tif 000002
【特許請求の範囲】
【請求項１】
ユーザの操作を受けて変位する変位部材と、
前記変位部材と接して前記変位部材の変位時にクリック感を発生させる第１接触部、および、少なくとも前記変位部材の変位前後の位置において前記変位部材と圧接する第２接触部を有する可撓部材と
を備える操作ユニット。
【請求項２】
前記第２接触部は、前記可撓部材の端部に設けられた請求項１に記載の操作ユニット。
【請求項３】
前記第２接触部は、前記可撓部材の両端部にそれぞれ設けられた請求項２に記載の操作ユニット。
【請求項４】
前記可撓部材は、前記第１接触部と前記第２接触部との間に折曲部を有し、
前記第２接触部は、前記折曲部の復元力を付勢力として前記変位部材に圧接する請求項１から３のいずれか１項に記載の操作ユニット。
【請求項５】
前記変位部材は、複数の変位位置を有し、
前記折曲部は、９０度以上の開き角を有する請求項４に記載の操作ユニット。
【請求項６】
前記変位部材は、前記第２接触部を押圧する押圧部を有する請求項１から３のいずれか１項に記載の操作ユニット。
【請求項７】
前記変位部材は、変位方向と直交する方向に、前記第１接触部と接触する第１領域と、前記第２接触部と接触する第２領域とがずれて設けられている請求項１から６のいずれか１項に記載の操作ユニット。
【請求項８】
請求項１から７のいずれか１項に記載の操作ユニットを、動画撮影と静止画撮影を切り替える切替スイッチとして備える撮像装置。
【請求項９】
前記変位部材の変位方向に対して操作音に差異がある場合には、操作音が小さい変位方向を、動画撮影から静止画撮影へ切り替える操作方向に設定する請求項８に記載の撮像装置。
【発明の詳細な説明】
【技術分野】
【０００１】
本発明は、操作ユニットおよび撮像装置に関する。
【背景技術】
【０００２】
金属ばねによりクリック感を生じさせるスイッチが知られている。
［先行技術文献］
［特許文献］
［特許文献１］  特開２００９−２４５８０１号公報
【発明の概要】
【発明が解決しようとする課題】
【０００３】
しかし、金属ばねの両端を固定する従来のスイッチでは、撓みに伴って生じる応力により破損するおそれがあった。一方、両端を固定せずに自由端構造を採用すると、ポジションの切替時において自励振動が発生し、これにより金属ばねから異音が発生するという問題があった。
【課題を解決するための手段】
【０００４】
本発明の第１の態様における操作ユニットは、ユーザの操作を受けて変位する変位部材と、変位部材と接して変位部材の変位時にクリック感を発生させる第１接触部、および、少なくとも変位部材の変位前後の位置において変位部材と圧接する第２接触部を有する可撓部材とを備える。
【０００５】
本発明の第２の態様における撮像装置は、上記の操作ユニットを、動画撮影と静止画撮影を切り替える切替スイッチとして備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】第１の実施形態に係る操作ユニットを備えるカメラの背面図である。
【図２】操作ユニット周りの分解斜視図である。
【図３】金属ばねの外観斜視図である。
【図４】外装部材に操作ユニットが組み込まれた様子を示す図である。
【図５】第２の実施形態としての操作ユニットの構造を示す図である。
【図６】第３の実施形態としての操作ユニットの構造を示す模式図である。
【図７】第４の実施形態としての操作ユニットの構造を示す模式図である。
【図８】第５の実施形態としての操作ユニットの構造を示す模式図である。
【図９】第６の実施形態としての操作ユニットの構造を示す模式図である。
【図１０】変位部材側から金属ばねを付勢する場合の構造を示す模式図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、第１の実施形態に係る操作ユニットを備えるカメラ１００の背面図である。図示するように、被写体側（紙面奥側）からカメラ側（紙面手前側）へ向かう方向をｚ軸プラス方向と定め、ｚ軸と直交する平面において紙面右側へ向かう方向をｘ軸プラス方向、紙面上方向をｙ軸プラス方向と定める。以降のいくつかの図においては、図１の座標軸を基準として、それぞれの図の向きがわかるように座標軸を表示する。
【００１０】
本実施形態に係る操作ユニットは、典型的には、静止画撮影モードと動画撮影モードを切り替える切替スイッチとして機能する撮影モード切替レバー１１０に適用することができる。撮影モード切替レバー１１０は、一定の角度において往復揺動させる２ポジションスイッチである。また、撮影モード切替レバー１１０と同様に２ポジションスイッチであるフォーカスポイントロックレバー１２０、エンドレスに回転させるコマンドダイヤル１３０、３ポジション以上のレリーズモードを選択できるレリーズモードダイヤル１４０等にも適用できる。
【００１１】
撮影モード切替レバー１１０は、例えば６０度の揺動角の両端ポジションにそれぞれ静止画撮影モードと動画撮影モードとが割り当てられている。ユーザは、撮影モード切替レバー１１０をいずれかのポジションに操作することにより、カメラ１００に動作させたい撮影モードを選択することができる。
【００１２】
フォーカスポイントロックレバー１２０には、例えば２０度の揺動角の両端ポジションにそれぞれフォーカスポイントロックとフォーカスポイントロック解除が割り当てられている。ユーザは、フォーカスポイントロックレバー１２０をいずれかのポジションに操作することにより、カメラ１００に動作させたいモードを選択することができる。
【００１３】
コマンドダイヤル１３０は、例えば１５度回転されるごとに１つの入力信号を発生するように構成されている。例えば、シャッター速度の設定に用いられる場合は、ユーザは、コマンドダイヤル１３０を１５度回転させるごとに、シャッター速度の設定を１／２段ずつ増減させることができる。
【００１４】
レリーズモードダイヤル１４０には、例えば、円周方向に沿って順にそれぞれ特定の位置に単写撮影モード、連写撮影モードおよびセルフタイマー撮影モードが割り当てられている。ユーザは、いずれか一つを、外装部材に記された指標と一致するようにレリーズモードダイヤル１４０を回転させることにより、特定のレリーズモードを選択することができる。このとき、連写撮影モードから使用頻度の低いセルフタイマー撮影モードへの回転角は、単写撮影モードと連写撮影モードの間の回転角よりも大きくすることができる。
【００１５】
以下の説明においては、第１の実施形態に係る操作ユニットの代表例として、撮影モード切替レバー１１０の構成を説明する。撮影モード切替レバー１１０は、その一部がカメラ１００の筐体を構成する外装部材１０１を貫通して設置されており、ユーザの操作を受けることができる。
【００１６】
図２は、操作ユニットとしての撮影モード切替レバー１１０周りの分解斜視図である。撮影モード切替レバー１１０は、外装部材１０１に対して、主に筐体外側に配置されるレバー１７０およびボタン１８０と、筐体内側に配置される固定板１９０、接点ブラシ１４２、ビス１４３、摺動ブロック１５０および金属ばね１６０とを主要な構成部材とする。
【００１７】
外装部材１０１には貫通穴１０３が設けられており、レバー１７０の嵌合外周１７１が貫通穴１０３の内面に対して摺動嵌合する。摺動ブロック１５０は、ビス穴１５１を貫通するビス１４３により、レバー１７０に固定される。したがって、ユーザによりレバー１７０が揺動操作されると、摺動ブロック１５０は、レバー１７０の動作に連動して筐体内部で揺動する。操作ユニットにおいて摺動ブロック１５０は、ユーザの操作を受けて変位する変位部材として機能する。
【００１８】
摺動ブロック１５０には、接点ブラシ１４２が固定される。接点ブラシ１４２は、摺動ブロック１５０の揺動動作により、その接点部分が円周方向に揺動する。接点ブラシ１４２の接点部分は、筐体内部に固定された不図示の位相パターンと接触する。カメラ１００の制御部は、位相パターンに対する導通状態を検出して、撮影モード切替レバー１１０が静止画撮影モードのポジションに位置するのか、動画撮影モードのポジションに位置するのかを判断する。
【００１９】
撮影モード切替レバー１１０の最外部にはボタン１８０が配置される。ボタン１８０の貫通軸１８１は、レバー１７０のレバー穴１７２、摺動ブロック１５０の軸穴１５２を貫通して、位相を調整された先端部が固定板１９０の固定穴１９１に嵌合されて固定される。固定板１９０自体は、両腕部にそれぞれ設けられた嵌合穴１９２に、外装部材１０１から延出するダボ１０２が嵌合されて固定される。
【００２０】
外装部材１０１外面の貫通穴１０３近傍にはレバー１７０の回転を規制する回転規制部が設けられている。レバー１７０は、外装部材１０１の回転規制部と当接する回転規制受部１７３を有する。回転規制受部１７３は、レバー１７０が許容された揺動角以上に揺動しようとする場合に、外装部材１０１の回転規制部と当接してそれ以上の揺動を阻止する。したがって、レバー１７０と一体的に揺動する摺動ブロック１５０は、予め定められた範囲でのみ揺動することができる。
【００２１】
金属ばね１６０は、若干の摺動しろが与えられて外装部材１０１に固定される。金属ばね１６０は、摺動ブロック１５０に接触して、ユーザによる撮影モード切替レバー１１０の操作に対してクリック感を付与する役割を担う。具体的な構成については後述する。
【００２２】
図３は、金属ばね１６０の外観斜視図である。金属ばね１６０は、例えばＳＵＳなどの薄板金属板からプレス加工により形成される。したがって、操作ユニットにおいて金属ばね１６０は、板面に対して垂直方向に可撓性を有する可撓部材として機能する。
【００２３】
金属ばね１６０は、直線状に延びるベース部１６１の中心付近に、摺動ブロック１５０と接触する接触凸部１６２を有する。接触凸部１６２は、断面が略半円形状であり、外周面から圧力を受けたときに半円形状が扁平して、ベース部１６１へその力を逃がす。
【００２４】
ベース部１６１のそれぞれの端付近には、左切欠部１６４と右切欠部１６５が設けられている。これらの切欠部は、外装部材１０１に対する位置決め部として利用される。ただし、接触凸部１６２が圧力を受けたときに板面方向に対するスライドを許容すべく、右切欠部１６５の切欠幅よりも左切欠部１６４の切欠幅を大きくしてある。
【００２５】
ベース部１６１の端には、それぞれ左折曲部１６６と右折曲部１６７が形成されている。折曲部の先は、それぞれ左押圧部１６８と右押圧部１６９が延出している。したがって、左押圧部１６８が板面に対して垂直方向に圧力を受けた場合には、左折曲部１６６の作用により、圧力に対する抗力としての復元力を生じる。同様に、右押圧部１６９が板面に対して垂直方向に圧力を受けた場合には、右折曲部１６７の作用により、圧力に対する抗力としての復元力を生じる。
【００２６】
図４は、外装部材１０１に操作ユニットとしての撮影モード切替レバー１１０が組み込まれた様子を示す図である。特に、筐体内部側から観察した様子を示す。
【００２７】
外装部材１０１には、金属ばね１６０の左切欠部１６４と右切欠部１６５のそれぞれに対応して、左位置決部１０４と右位置決部１０５が設けられている。両位置決め部は互いに同形状であり、それぞれの切欠部の切欠形状に係合する凸形状を成す。ただし、左切欠部１６４の切欠幅は右切欠部１６５の切欠幅よりも大きいので、ベース部１６１は、ｘ方向（スライド方向）に対して自由度を有する。
【００２８】
ユーザ操作に連動して揺動する摺動ブロック１５０の変位に伴って、金属ばね１６０の接触凸部１６２は、摺動ブロック１５０のクリック凸部１５３と接触する。クリック凸部１５３は、摺動ブロック１５０と一体的に形成されている。摺動ブロック１５０は、例えばＰＣを樹脂成型した型物であるので、クリック凸部１５３は、摺動ブロック１５０の変位時において接触凸部１６２を変形させつつ乗り越える。このとき、接触凸部１６２の変形前における抵抗力と、変形復元後における摺動ブロック１５０の変位速度の増加により、ユーザはクリック感を得る。
【００２９】
摺動ブロック１５０は、左押圧部１６８が接触する箇所に左被圧凸部１５４を、右押圧部１６９が接触する箇所に右被圧凸部１５５を有する。左押圧部１６８は、摺動ブロック１５０の少なくとも変位前後の位置において、左被圧凸部１５４を押圧する。つまり、左押圧部１６８は、左折曲部１６６の作用による板ばねとしての復元力を付勢力として、左被圧凸部１５４に圧接する。同様に、右押圧部１６９は、摺動ブロック１５０の少なくとも変位前後の位置において、右被圧凸部１５５を押圧する。つまり、右押圧部１６９は、右折曲部１６７の作用による板ばねとしての復元力を付勢力として、右被圧凸部１５５に圧接する。
【００３０】
このような構造を採用することにより、接触凸部１６２の撓みに伴って生じる応力を逃がしつつ、端部の自励振動の発生を防止することができるので、金属ばね１６０が破損するおそれが小さく、また、撮影モード切替レバー１１０の切替動作に伴う異音発生を防ぐことができる。なお、左被圧凸部１５４および右被圧凸部１５５の形状を曲面形状とするなどして、摺動ブロック１５０の揺動変位におけるいずれの時点においても、それぞれ左押圧部１６８および右押圧部１６９と接触させれば、より効果的に自励振動を防止することができる。特に、撮影モード切替レバー１１０としてこの構造を採用すれば、撮影中の動画像に異音が混入するおそれを軽減することができる。
【００３１】
次に、図を用いて他の操作ユニットの実施形態を数例説明する。図５は、第２の実施形態としての操作ユニット２００の構造を示す図である。上述の第１の実施形態における操作ユニットは、２つのポジション間でレバーを揺動させる回転系の操作ユニットであったが、第２の実施形態における操作ユニットは、２つのポジション間でレバーを往復スライドさせる直進系の操作ユニットである。
【００３２】
操作ユニット２００は、主に、摺動ブロック２５０と金属ばね１６０が外装部材２０１に配設されて構成される。なお、金属ばね１６０は、第１の実施形態の金属ばね１６０と同等の部材であるので、細部の説明を省略する。
【００３３】
操作ユニット２００は、摺動ブロック２５０に一体的に固定され、外装部材２０１の外側に突出して設置された操作レバーを備える。摺動ブロック２５０は、ユーザによる操作レバーの操作に連動して、白抜き矢印方向に往復スライドする。摺動ブロック２５０には、第１の実施形態と同様に接点ブラシ１４２が固着されており、その接点部分は、筐体内部に固定された不図示の位相パターンと接触する。カメラ１００の制御部は、位相パターンに対する導通状態を検出して、操作ユニット２００がいずれのポジションに位置するのかを判断する。
【００３４】
ユーザ操作に連動して往復運動する摺動ブロック２５０の変位に伴って、金属ばね１６０の接触凸部１６２は、摺動ブロック２５０のクリック凸部２５３と接触する。クリック凸部２５３は、摺動ブロック２５０と一体的に形成されている。クリック凸部２５３は、摺動ブロック２５０の変位時において接触凸部１６２を変形させつつ乗り越えるので、ユーザは、このときにクリック感を得る。
【００３５】
摺動ブロック２５０は、左押圧部１６８が接触する箇所に左被圧部２５４を、右押圧部１６９が接触する箇所に右被圧部２５５を有する。第１の実施形態と同様に、左押圧部１６８は、左折曲部１６６の作用による板ばねとしての復元力を付勢力として、左被圧部２５４に圧接し、右押圧部１６９は、右折曲部１６７の作用による板ばねとしての復元力を付勢力として、右被圧部２５５に圧接する。このような構造を採用することにより、直進系の操作ユニットであっても、金属ばね１６０の破損を回避し、異音の発生を低減することができる。なお、図の例では２つのポジションを往復させるが、クリック凸部２５３の数を増やして、３以上のポジションに対応させることもできる。
【００３６】
図６は、第３の実施形態としての操作ユニットの構造を示す模式図である。図１の例では、金属ばね１６０の両端に左押圧部１６８と右押圧部１６９を設けた。しかし、第３の実施形態では、一方のみに押圧部を設ける。
【００３７】
具体的には、金属ばね３６０は、直線状に延びるベース部３６１の中心付近に、摺動ブロック３５０と接触する接触凸部３６２を有する。ベース部３６１の左端近傍は、外装部材の固定部１０６によって固定される。一方、ベース部３６１の右端近傍は、外装部材のスライドガイド１０７によってガイドされる。これにより、接触凸部３６２が圧力を受けたときに、板面方向に対するスライドが許容される。
【００３８】
ベース部３６１の右端には、右折曲部３６７が形成されている。右折曲部３６７の先は、右押圧部３６９が延出している。したがって、右押圧部３６９が板面に対して垂直方向に圧力を受けた場合には、右折曲部３６７の作用により、圧力に対する抗力としての復元力を生じる。
【００３９】
ユーザ操作に連動して揺動運動する摺動ブロック３５０の変位に伴って、金属ばね３６０の接触凸部３６２は、摺動ブロック３５０のクリック凸部３５３と接触する。クリック凸部３５３は、摺動ブロック３５０と一体的に形成されている。クリック凸部３５３は、摺動ブロック３５０の変位時において接触凸部３６２を変形させつつ乗り越えるので、ユーザは、このときにクリック感を得る。
【００４０】
摺動ブロック３５０は、右押圧部３６９が接触する箇所に右被圧凸部３５５を有する。右押圧部３６９は、摺動ブロック３５０の少なくとも変位前後の位置において、右被圧凸部３５５を押圧する。つまり、右押圧部３６９は、右折曲部３６７の作用による板ばねとしての復元力を付勢力として、右被圧凸部３５５に圧接する。
【００４１】
このような構造を採用することにより、少なくとも操作ユニット３００の切替動作に伴う異音発生を防ぐことができる。なお、このような構造においては、その非対称性から、右回転時と左回転時で操作音に差異がある場合がある。操作ユニット３００を、撮影モード切替レバー１１０として採用する場合は、操作音が小さい変位方向（回転方向）を、動画撮影から静止画撮影へ切り替える操作方向に設定すると良い。この設定により、操作ユニット３００の操作に伴って動画撮影を停止させる場合に、操作音の混入を抑制することができる。
【００４２】
図７は、第４の実施形態としての操作ユニット４００の構造を示す模式図である。第１の実施形態では、２つのポジション間を揺動する操作ユニットについて説明したが、本実施形態における操作ユニット４００は、さらに多くのポジションを備えた、エンドレスに回転させることができる操作ユニットである。操作ユニット４００は、例えば、コマンドダイヤル１３０に適用され得る。
【００４３】
操作ユニット４００は、主に、摺動ブロック４５０と金属ばね４６０が外装部材に配設されて構成される。具体的には、金属ばね４６０は、直線状に延びるベース部４６１の中心付近に、摺動ブロック４５０と接触する接触凸部４６２を有する。ベース部４６１の左端近傍は、外装部材のスライドガイド１０８によってガイドされ、右端近傍は、外装部材のスライドガイド１０７によってガイドされる。これにより、接触凸部４６２が圧力を受けたときに、板面方向に対するスライドが許容される。
【００４４】
ベース部４６１の端には、それぞれ左折曲部４６６と右折曲部４６７が形成されている。折曲部の先は、それぞれ左押圧部４６８と右押圧部４６９が延出している。したがって、左押圧部４６８が板面に対して垂直方向に圧力を受けた場合には、左折曲部４６６の作用により、圧力に対する抗力としての復元力を生じる。同様に、右押圧部４６９が板面に対して垂直方向に圧力を受けた場合には、右折曲部４６７の作用により、圧力に対する抗力としての復元力を生じる。
【００４５】
摺動ブロック４５０は、例えば３０度の中心角ごとに外周部に複数のクリック凸部４５３を有する。すなわち、摺動ブロック４５０は、複数回のクリック動作に対応する複数の変位位置を有する。ユーザ操作に連動して回転運動する摺動ブロック４５０の変位に伴って、金属ばね４６０の接触凸部４６２は、摺動ブロック４５０のクリック凸部４５３と接触する。クリック凸部４５３は、摺動ブロック４５０と一体的に形成されている。クリック凸部４５３は、摺動ブロック４５０の変位時において接触凸部４６２を変形させつつ乗り越えるので、ユーザは、このときにクリック感を得る。
【００４６】
本実施形態においては、被圧凸部の役割もクリック凸部４５３が担う。左押圧部４６８および右押圧部４６９は、摺動ブロック４５０の１クリック動作の変位前後において、クリック凸部４５３を押圧する。つまり、左押圧部４６８および右押圧部４６９は、左折曲部４６６および右折曲部４６７の作用による板ばねとしての復元力を付勢力として、クリック凸部４５３に圧接する。
【００４７】
点線で囲むＡ部として図示するように、金属ばね４６０の左折曲部４６６および右折曲部４６７は、９０度以上の開き角を有する。このような角度を持たせることにより、摺動ブロック４５０の円滑な回転に寄与する。なお、左押圧部４６８および右押圧部４６９の先端のそれぞれに、外側へ反らせた曲線部４６３を設ければ、クリック凸部４５３の間隔が大きい場合でも、クリック凸部４５３との干渉を防ぐことができ、摺動ブロック４５０の円滑な回転に寄与する。
【００４８】
図８は、第５の実施形態としての操作ユニット５００の構造を示す模式図である。図８（ａ）は、筐体内部側から観察した正面図であり、図８（ｂ）は、下面図である。本実施形態における操作ユニット５００も、第４の実施形態と同様に、エンドレスに回転させることができる操作ユニットである。ただし、第４の実施形態では、被圧凸部の役割もクリック凸部４５３が担う構造であったが、本実施形態においては、被圧凸部の役割を分離する。
【００４９】
操作ユニット５００は、主に、摺動ブロック５５０と金属ばね５６０が外装部材に配設されて構成される。具体的には、金属ばね５６０は、直線状に延びるベース部５６１の中心付近に、摺動ブロック５５０と接触する接触凸部５６２を有する。ベース部５６１の左側部は、外装部材のスライドガイド１０８によってガイドされ、右側部は、外装部材のスライドガイド１０７によってガイドされる。これにより、接触凸部５６２が圧力を受けたときに、板面方向に対するスライドが許容される。
【００５０】
ベース部５６１は、これまでの実施形態における金属ばねとは異なり、図８（ｂ）に示すように、スライドガイド１０７、１０８によってガイドされる部分よりそれぞれ端側で、２段構造を有する。すなわち、板面方向から見た場合にクランク形状を成す。
【００５１】
ベース部５６１の端には、それぞれ左折曲部５６６と右折曲部５６７が形成されている。折曲部の先は、それぞれ左押圧部５６８と右押圧部５６９が延出している。したがって、左押圧部５６８が板面に対して垂直方向に圧力を受けた場合には、左折曲部５６６の作用により、圧力に対する抗力としての復元力を生じる。同様に、右押圧部５６９が板面に対して垂直方向に圧力を受けた場合には、右折曲部５６７の作用により、圧力に対する抗力としての復元力を生じる。
【００５２】
摺動ブロック５５０は、例えば３０度の中心角ごとに外周部に複数のクリック凸部５５３を有する。すなわち、摺動ブロック５５０は、複数回のクリック動作に対応する複数の変位位置を有する。ユーザ操作に連動して回転運動する摺動ブロック５５０の変位に伴って、金属ばね５６０の接触凸部５６２は、摺動ブロック５５０のクリック凸部５５３と接触する。クリック凸部５５３は、摺動ブロック５５０と一体的に形成されている。クリック凸部５５３は、摺動ブロック５５０の変位時において接触凸部５６２を変形させつつ乗り越えるので、ユーザは、このときにクリック感を得る。
【００５３】
本実施形態においては、摺動ブロック５５０は、回転軸方向に沿って２段に構成されており、クリック凸部５５３が形成された１段目に、被圧部５５６として２段目が積層されている。被圧部５５６は、円筒状に形成されている。左押圧部５６８および右押圧部５６９は、被圧部５５６を押圧する。つまり、左押圧部５６８および右押圧部５６９は、左折曲部５６６および右折曲部５６７の作用による板ばねとしての復元力を付勢力として、被圧部５５６に圧接する。別言すれば、変位部材としての摺動ブロック５５０は、変位方向と直交する方向に、接触凸部５６２と接触する領域としてのクリック凸部５５３と、左押圧部５６８および右押圧部５６９と接触する領域としての被圧部５５６とがずれて設けられている。
【００５４】
このように、クリック凸部５５３と被圧部５５６を分離して設けることにより、摺動ブロック５５０の円滑な回転を実現する。特に、このような構造を採用すれば、左押圧部５６８および右押圧部５６９において、それぞれの折曲部から被圧部５５６との接触部までの距離を長くすることができるので、十分な付勢力を確保することができる。
【００５５】
なお、第４の実施形態および第５の実施形態においては、エンドレスに回転させることができる操作ユニットとして説明したが、もちろん、複数のポジションを有しつつ、一定の回転角に制限することもできる。また、複数のクリック凸部の間隔を等間隔ではなく、そのポジションに割り当てられる機能に応じて、不等間隔にしても良い。
【００５６】
図９は、第６の実施形態としての操作ユニット５００の構造を示す模式図である。図９（ａ）は、筐体内部側から観察した正面図であり、図９（ｂ）は、下面図である。本実施形態における操作ユニット６００は、第５の実施形態の変形例であるので、共通する構造については同じ符番を付してその説明を省略する。
【００５７】
本実施形態においては、被圧部６５６の径が第５の実施形態における被圧部５５６の径よりも大きい。また、左押圧部６６８と右押圧部６６９は、それぞれ左折曲部５６６と右折曲部５６７の曲げ方向と同じ方向に曲げられたＲ形状を先端部に有し、当該Ｒ形状の外側面で被圧部６５６に当接する。すなわち、左押圧部６６８と右押圧部６６９は、開き方向への復元力により被圧部６５６を付勢する。
【００５８】
本実施形態の構造によれば、第５の実施形態における構造と同様に、摺動ブロック５５０の円滑な回転を実現する。特に、左押圧部６６８および右押圧部６６９において、それぞれの折曲部から被圧部６５６との接触部までの距離を長くすることができるので、十分な付勢力を確保することができる。
【００５９】
以上の実施形態においては、金属ばねが摺動ブロックの被圧部に対して弾性力を発揮することにより圧接を実現しているが、摺動ブロック側に金属ばねの接触部を押圧する押圧部を設けても良い。その一例を説明する。
【００６０】
図１０は、変位部材側である摺動ブロック側から金属ばねを付勢する場合の構造を示す模式図である。摺動ブロック９５０には、ガイド溝９５１が設けられている。ガイド溝９５１は、押圧球９２０が直線的に移動するためのガイド機能を担う。押圧球９２０は、ガイド溝９５１に沿って配置されるコイルばね９１０の弾性力によって、外周方向へ付勢されている。金属ばね９６０の被圧部９６８は、外周方向へ付勢された押圧球９２０と圧接する。これにより、摺動ブロック９５０側から金属ばねを付勢する構造を実現できる。
【００６１】
上記の実施形態においては、可撓部材として金属ばねを例に説明したが、もちろん、上述の作用効果を奏する可撓部材であれば、金属ばねに限らずさまざまな素材を適用することができる。上記の実施形態においては、操作ユニットの適用例についてカメラ１００を説明したが、もちろん他の電子機器であっても良い。他の電子機器としては、コンパクトデジタルカメラ、ミラーレスカメラ、ビデオカメラ等の撮像装置に止まらず、携帯電話、ゲーム機器などの携帯端末、その他据え置き型の各種装置などが挙げられる。
【００６２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６３】
１００  カメラ、１０１  外装部材、１０２  ダボ、１０３  貫通穴、１０４  左位置決部、１０５  右位置決部、１０６  固定部、１０７  スライドガイド、１０８  スライドガイド、１１０  撮影モード切替レバー、１２０  フォーカスポイントロックレバー、１３０  コマンドダイヤル、１４０  レリーズモードダイヤル、１４２  接点ブラシ、１４３  ビス、１５０  摺動ブロック、１５１  ビス穴、１５２  軸穴、１５３  クリック凸部、１５４  左被圧凸部、１５５  右被圧凸部、１６０  金属ばね、１６１  ベース部、１６２  接触凸部、１６４  左切欠部、１６５  右切欠部、１６６  左折曲部、１６７  右折曲部、１６８  左押圧部、１６９  右押圧部、１７０  レバー、１７１  嵌合外周、１７２  レバー穴、１７３  回転規制受部、１８０  ボタン、１８１  貫通軸、１９０  固定板、１９１  固定穴、１９２  嵌合穴、２００  操作ユニット、２０１  外装部材、２５０  摺動ブロック、２５３  クリック凸部、２５４  左被圧部、２５５  右被圧部、３００  操作ユニット、３５０  摺動ブロック、３５３  クリック凸部、３５５  右被圧凸部、３６０  金属ばね、３６１  ベース部、３６２  接触凸部、３６７  右折曲部、３６９  右押圧部、４００  操作ユニット、４５０  摺動ブロック、４５３  クリック凸部、４６０  金属ばね、４６１  ベース部、４６２  接触凸部、４６６  左折曲部、４６７  右折曲部、４６８  左押圧部、４６９  右押圧部、４６３  曲線部、５００  操作ユニット、５５０  摺動ブロック、５５３  クリック凸部、５５６  被圧部、５６０  金属ばね、５６１  ベース部、５６２  接触凸部、５６６  左折曲部、５６７  右折曲部、５６８  左押圧部、５６９  右押圧部、６００  操作ユニット、６５６  被圧部、６６８  左押圧部、６６９  右押圧部、９１０  コイルばね、９２０  押圧球、９５０  摺動ブロック、９５１  ガイド溝、９６０  金属ばね、９６８  被圧部
【図１】
2013080174.tif 000003
【図２】
2013080174.tif 000004
【図３】
2013080174.tif 000005
【図４】
2013080174.tif 000006
【図５】
2013080174.tif 000007
【図６】
2013080174.tif 000008
【図７】
2013080174.tif 000009
【図８】
2013080174.tif 000010
【図９】
2013080174.tif 000011
【図１０】
2013080174.tif 000012